(57)【特許請求の範囲】
【請求項１】
嵌合凹部（１４）を備えた容器本体（１０）と、後部を容器本体（１０）後部に回動可能に連結して嵌合凹部（１４）内外を揺動可能に設けた回動中枠（５０）と、容器本体（１０）後部に後部を回動可能に連結して回動中枠（５０）を含む容器本体（１０）上面を開閉可能に設けた蓋体（３０）とを備え、回動中枠（５０）は、上方回動させた状態で前面に開口したドラム挿入口（５１）よりドラム（７０）の着脱が可能に構成したことを特徴とする化粧用コンパクト容器において、
回動中枠（５０）が、嵌合凹部（１４）周縁部の容器本体（１０）頂面上に外周縁下面を嵌合載置させる環状の頂板部（５４）の両側及び後部から、垂直板部（５８）の下部より内方へ係止板（５９）を突設した係止部（５７）を垂設し、ドラム挿入口（５１）より挿入されたドラム（７０）の周縁部上下を、各係止板（５９）と頂板部（５４）との間に挟持して嵌合係止する如く構成した化粧用コンパクト容器。
【請求項２】
嵌合凹部（１４）の前部に頂板部（５４）の高さより丈の短い係止壁（２０）を立設して、嵌合凹部（１４）内に嵌合されたドラム（７０）前面が当接係止される如く構成した請求項１に記載の化粧用コンパクト容器。
【請求項３】
嵌合凹部（１４）内底部に、収納されたドラム（７０）の底面を支持する支持突部（２１）を突設した請求項１又は請求項２に記載の化粧用コンパクト容器。
【請求項４】
頂板部（５４）に、ドラム（７０）を嵌合した回動中枠（５０）を嵌合凹部（１４）に嵌合した状態で、嵌合凹部（１４）内外を連通する連通孔（６１）を穿設した請求項１乃至請求項３のいずれか１項に記載の化粧用コンパクト容器。
【発明の詳細な説明】
【技術分野】
【０００１】
本発明は化粧用コンパクト容器に関する。
【背景技術】
【０００２】
化粧品を充填したドラムを容器本体に嵌合して使用する化粧用コンパクト容器が種々提案されている。（例えば、特許文献１或いは特許文献２を参照）
【０００３】
特許文献１に記載されたものは、容器本体の嵌合凹部に中枠部材を嵌着固定し、中枠部材は、嵌合凹部に嵌合させた周壁の相対向する部分に掛け渡した弾性壁によりドラム嵌合部を画成し、嵌合壁下面より延設した水平基板上の突起を、ドラム嵌合部内に嵌合させたドラム下面の係合凹部内に、基板の外方へのスライドにより抜け出しが可能に嵌合させている。そして、弾性壁を外方へ引き出すことで基板をスライドさせ、抜け出した突起がドラム底面を押し上げて容易にドラムを外せる。                                            
【０００４】
特許文献２に記載されたものは、皿状容器体内に固定した中枠にドラム収納部を形成し、該収納部両側の中枠縦筒部分に、各々弾性板に支持されて内外方向揺動可能に設けた係止板を一体に形成するとともに、ドラム両側外面に各係止板の内側突出部分が嵌合する嵌合凹部を設け、また、係止状態のドラムをスライドさせて係止離脱を可能ならしめる予備空間をドラム収納部に延設して構成している。
【先行技術文献】
【特許文献】
【０００５】
【特許文献１】特開平１１−３３２６４０号公報
【特許文献１】特開平０８−１１７０１９号公報
【発明の概要】
【発明が解決しようとする課題】
【０００６】
上記各化粧用コンパクト容器は、ドラムの取り外し、取り付けが極めて容易に行えて、しかも特別の道具を必要とせずに簡単に行えるものである。
【０００７】
本発明はドラムの取り外し、取り付けが極めて容易に行え、しかも、ドラムは底壁周縁部より周壁を立設した単純形態の皿状のものを使用でき、ドラムの着脱のための特別な構造を必要とせずに形状、大きさだけを統一させておけば容易な交換が可能であり、構造も簡単で安価に製造できる化粧用コンパクト容器を提案する。
【課題を解決するための手段】
【０００８】
第１の手段として、以下の通り構成した。即ち、嵌合凹部１４を備えた容器本体１０と、後部を容器本体１０後部に回動可能に連結して嵌合凹部１４内外を揺動可能に設けた回動中枠５０と、容器本体１０後部に後部を回動可能に連結して回動中枠５０を含む容器本体１０上面を開閉可能に設けた蓋体３０とを備え、回動中枠５０は、上方回動させた状態で前面に開口したドラム挿入口５１よりドラム７０の着脱が可能に構成したことを特徴とする化粧用コンパクト容器において、
回動中枠５０が、嵌合凹部１４周縁部の容器本体１０頂面上に外周縁下面を嵌合載置させる環状の頂板部５４の両側及び後部から、垂直板部５８の下部より内方へ係止板５９を突設した係止部５７を垂設し、ドラム挿入口５１より挿入されたドラム７０の周縁部上下を、各係止板５９と頂板部５４との間に挟持して嵌合係止する如く構成している。
【００１０】
第２の手段として、以下の通り構成した。即ち、前記第１の手段に於いて、嵌合凹部１４の前部に頂板部５４の高さより丈の短い係止壁２０を立設して、嵌合凹部１４内に嵌合されたドラム７０前面が当接係止される如く構成した。
【００１１】
第３の手段として、以下の通り構成した。即ち、前記第１の手段又は第２の手段のいずれかの手段に於いて、嵌合凹部１４内底部に、収納されたドラム７０の底面を支持する支持突部２１を突設した。
【００１２】
第４の手段として、以下の通り構成した。即ち、前記第１の手段乃至第３の手段のいずれかの手段に於いて、頂板部５４に、ドラム７０を嵌合した回動中枠５０を嵌合凹部１４に嵌合した状態で、嵌合凹部１４内外を連通する連通孔６１を穿設した。
【発明の効果】
【００１３】
本発明によれば、ドラムの着脱が特別の道具を必要とせずに簡単に行えるとともに、ドラムは底壁周縁部より周壁を立設した単純形態の皿状のものを使用でき、ドラムの着脱のための特別な構造を必要とせずに形状、大きさだけを統一させておけば容易な交換が可能であり、構造も簡単で安価に製造できる利点がある。
【００１４】
また、回動中枠５０が、嵌合凹部１４周縁部の容器本体１０頂面上に外周縁下面を嵌合載置させる環状の頂板部５４の両側及び後部から、垂直板部５８の下部より内方へ係止板５９を突設した係止部５７を垂設し、ドラム挿入口５１より挿入されたドラム７０の周縁部上下を、各係止板５９と頂板部５４との間に挟持して嵌合係止する如く構成した場合には、回動中枠５０を形成する材料を極力少なくした上にドラム７０の確実な嵌着固定が可能であり、また、ドラム７０の着脱の際にも行いやすいという利点がある。更に、各係止部５７が上記形態を備えるため、その係止板５９の突出幅、厚み、或いは係止部５７全体の材質等を選択考慮すれば、回動中枠５０に嵌合するドラム７０の嵌合強度の強弱調整を容易に行える利点もある。
【００１５】
嵌合凹部１４の前部に頂板部５４の高さより丈の短い係止壁２０を立設して、嵌合凹部１４内に嵌合されたドラム７０前面が当接係止される如く構成した場合には、上方に回動させた回動中枠５０にドラム７０を嵌合させて第１嵌合凹部１４ａ内に嵌合させる際に、頂板部５４の高さより丈の短い係止壁２０に対してドラム７０前面を円滑容易に嵌合させることができ、また、嵌合したドラム７０はガタツキなく固定することができるという利点がある。
【００１６】
嵌合凹部１４内底部に、収納されたドラム７０の底面を支持する支持突部２１を突設した場合には、各係止部５７の各係止板５９による容器本体１０底面とドラム７０下面との隙間を支持突部２１で充足してドラム７０を安定的に支持することができる利点があり、上記係止壁２０との組み合わせによりさらなる安定したガタツキ防止を図れる。
【００１７】
頂板部５４に、ドラム７０を嵌合した回動中枠５０を嵌合凹部１４に嵌合した状態で、嵌合凹部１４内外を連通する連通孔６１を穿設した場合には、嵌合凹部１４内に嵌合した回動中枠５０を容易に嵌合凹部１４より離脱回動させることが可能となる。
【図面の簡単な説明】
【００１８】
【図１】開蓋状態の化粧用コンパクト容器の平面図である。（実施例１）
【図２】図１の状態から蓋を閉じた際のＡ−Ａ線位置の断面図である。（実施例１）
【図３】図１の状態から蓋を閉じた際のＢ−Ｂ線位置の要部拡大断面図である。（実施例１）
【図４】図１の状態から蓋を閉じた際のＣ−Ｃ線位置の断面図である。（実施例１）
【図５】図１の状態から蓋を閉じた際のＤ−Ｄ線位置の断面図である。（実施例１）
【図６】図１の状態から蓋を閉じた際のＥ−Ｅ線位置の断面図である。（実施例１）
【図７】ドラムを装着する際の説明図である。（実施例１）
【発明を実施するための形態】
【００１９】
以下、本発明の形態を図面を参照して説明する。
【００２０】
図１は化粧用コンパクト容器の実施例１を示し、該化粧用コンパクト容器１は、容器本体１０と、蓋体３０と、押釦４０と、回動中枠５０と、ドラム７０と、固定中枠８０と、パフ９０とを備えている。
【００２１】
容器本体１０は、底壁１１の周縁部より周壁１２を起立し、左右中央部を前後に区画する区画壁１３を設けて、その左方に嵌合凹部１４としての第１嵌合凹部１４ａを、右方に嵌合凹部１４としての第２嵌合凹部１４ｂを凹設している。また、後部には周壁１２を前方へ凹こませた軸着用凹部１５を凹設している。軸着用凹部は蓋体３０及び回動中枠５０を軸着するボスを収納軸着するためのものである。また、前部には押釦４０を収納する押釦収納凹部１６を後方へ凹設している。また、図３に断面で示す如く、押釦収納凹部１６内後面には、上方に係止突起１７を突設し、係止突起１７下方に傾斜面１８を形成した突部を突設している。
【００２２】
蓋体３０は、周壁部３１の上端縁より頂壁部３２を延設し、周壁部３１の後部下端より軸着用凹部１５の両側位置に垂設した一対のボス３３を容器本体１０に軸着して回動可能に連結し、容器本体１０の上面を開閉可能に設けている。ボス３３は便宜的に向かって左側を左側ボス３３ａ、右側を右側ボス３３ｂとする。また、頂壁部３２前部裏面より、押釦収納凹部１６内の係止突起１７に係脱可能に係合するフック３４を垂設している。また、頂壁部３２の裏面には係止枠部３５を突設し、鏡３６を固定している。
【００２３】
押釦４０は、前板４１下端より、押釦収納凹部１６内を摺動する底板４２を後方へ延設し、また、前板４１の裏面からは、傾斜面１８を摺動上昇して係止突起１７とフック３４との係合を解除する係止解除突起４３を揺動可能に突設している。そして、図３の状態から前板４１を後方へ押し込むことで係止解除突起４３が傾斜面１８を上昇し係止突起１７とフック３４との係合を解除する如く構成している。
【００２４】
回動中枠５０は、上方回動させた状態で前面に開口したドラム挿入口５１よりドラム７０の着脱が可能に構成している。図示例では、下面内周縁部に外周下向き段部５２を、下面内周縁部に内周下向き段部５３をそれぞれ周設した環状の頂板部５４を備え、頂板部５４の外周下向き段部５２を、第１嵌合凹部１４ａを画成する容器本体１０の周壁１２及び区画壁１３上面に嵌合載置させ、頂板部５４の後部左右方向中央より軸着用凹部１５内に垂設した回動軸５５を、軸５６を介して容器本体１０に回動可能に軸着して容器本体１０に対して開閉可能に連結している。回動軸５５は、蓋体３０の左側ボス３３ａと隣接して、左側軸５６ａにより容器本体１０に軸着されている。また、蓋体３０の右側ボス３３ｂは右側軸５６ｂにより容器本体１０に別に軸着されている。
【００２５】
また、頂板部５４の両側及び後部から係止部５７を垂設している。係止部５７は、頂板部５４の下面中央部より垂設した垂直板部５８の下部より内方へ係止板５９を突設し、ドラム挿入口５１より挿入されたドラム７０との周縁部上下を、各係止板５９と頂板部５４との間に挟持して嵌合係止する如く構成している。
【００２６】
図示例では、係止部５７は頂板部５４の後部に一箇所、両側部にそれぞれ三箇所設けており、ドラム挿入口５１の前部には設けていない。後部の係止部５７は、後部左右方向中央部に垂設しており、また、左右の側部の係止部５７は、それぞれドラム７０を嵌合した際のドラム７０の前後のコーナー該当部分とその中間部の三箇所にそれぞれ垂設しており、中間部のものは前後の長さを長く構成している。また、係止部５７のうち両側前部のものの垂直板部５８外面には、図６に示す如く、係合突起６０を突設し、容器本体１０に突設した係止突起１９と乗り越え係合可能に構成して、回動中枠５０を嵌合凹部１４内に嵌合させた際に係止が可能に構成している。尚、この様な形態の係止部５７の数は本例のものに限らず、ドラム７０の嵌合係止が可能な構成であれば、頂板部５４の後部と両側にいくつずつ設けてあっても良い。
【００２７】
更に、頂板部５４に、ドラム７０を嵌合した回動中枠５０を嵌合凹部１４に嵌合した状態で、嵌合凹部１４内外を連通する連通孔６１を穿設している。この連通孔６１の存在で、嵌合凹部１４内からの回動中枠５０の離脱を容易ならしめる。また、連通孔６１の後方の頂板部５４前部上面には指掛け用の突片６２を立設して、回動中枠５０を開く際に掴んで容易に開くことができる如く構成している。
【００２８】
ドラム７０は、底壁７１周縁部より周壁７２を起立して構成されており、ドラム挿入口５１より挿入嵌合した際に、各係止板５９と頂板部５４の内周下向き段部５３との間に周縁部が挟持され、また、周壁７２外面が各垂直板部５８内面と当接する如く構成している。
【００２９】
また、ドラム７０を回動中枠５０に嵌合させて、それを嵌合凹部１４内に嵌合させた際には、嵌合凹部１４の前部左右方向中央部に立設した係止壁２０後面に前面を嵌合する如く構成している。この係止壁２０は、嵌合凹部１４の前部に立設した頂板部５４の高さより丈の短いもので、そのため、ドラム７０を嵌合した回動中枠５０の嵌合をより円滑容易に行える如く構成している。
【００３０】
更にその際、嵌合凹部１４中央部に突設した支持突部２１上面にドラム７０の下面を当接して安定したガタツキのない嵌合が行える如く構成している。
【００３１】
固定中枠８０は、環状の頂板部８１下面より垂壁部８２を垂設し、垂壁部８２を第２嵌合凹部１４ｂ内に嵌合させるとともに、頂板部８１を第２嵌合凹部１４ｂ周縁の容器本体周壁１２及び区画壁１３上面に嵌合載置させて装着しており、内部にパフ９０を収納する。
【００３２】
上記の如く構成した化粧用コンパクト容器１は、例えば閉蓋状態から押釦４０を押し込んでフック３４と係止突起１７との係合を外して開蓋した後、パフ９０を使ってドラム７０内の化粧料を塗布することができる。ドラム７０を交換する場合は、指掛け用の突片６２を掴んで回動中枠５０を上方に引き上げると、係止突起１９と係合突起６０との係合が外れて回動中枠５０が上方に回動し、ドラム７０を回動中枠５０から取り外すことができる。ドラム７０を取り外す場合は、例えば、ドラム７０の上面及び下面を掴んで引き出すことで行える。その後図７に示す如く、前方のドラム挿入口５１よりドラム７０を押し込んで回動中枠５０に嵌合させ、しかる後回動中枠５０を下方へ回動して第１嵌合凹部１４ａ内に回動中枠５０を嵌合させることで新たなドラム７０を装着できる。
【００３３】
尚、上記した例では、容器本体１０に回動中枠５０の他にパフ９０入りの固定中枠８０を備えた例を説明したが、本発明では容器本体１０に対して回動中枠５０のみを装着したものであっても良く、また、同様構成の複数の回動中枠５０を容器本体１０に設けたものであって良い。複数の場合には同時に複数種類の化粧料の収納が可能である。
【符号の説明】
【００３４】
１：化粧用コンパクト容器
１０：容器本体
１１…底壁、１２…周壁、１３…区画壁、１４…嵌合凹部、１４ａ…第１嵌合凹部、
１４ｂ…第２嵌合凹部、１５…軸着用凹部、１６…押釦収納凹部、１７…係止突起、
１８…傾斜面、１９…係止突起、２０…係止壁、２１…支持突部
３０：蓋体
３１…周壁部、３２…頂壁部、３３…ボス、３３ａ…左側ボス、３３ｂ…右側ボス、
３４…フック、３５…係止枠部、３６…鏡
４０：押釦
４１…前板、４２…底板、４３…係止解除突起
５０：回動中枠
５１…ドラム挿入口、５２…外周下向き段部、５３…内周下向き段部、５４…頂板部、
５５…回動軸、５６…軸、５６ａ…左側軸、５６ｂ…右側軸、５７…係止部、
５８…垂直板部、５９…係止板、６０…係合突起、６１…連通孔、
６２…指掛け用の突片
７０：ドラム
７１…底壁、７２…周壁
８０：固定中枠
８１…頂板部、８２…垂壁部
９０：パフ
【図１】
0005791075.tif 000002
【図２】
0005791075.tif 000003
【図３】
0005791075.tif 000004
【図４】
0005791075.tif 000005
【図５】
0005791075.tif 000006
【図６】
0005791075.tif 000007
【図７】
0005791075.tif 000008